(57)【特許請求の範囲】
【請求項１】
ファントム電源に接続されるコンデンサマイクロホン回路であって、
マイクロホンユニットからの音声信号が流れる第１信号線および第２信号線と、
前記第１信号線と前記第２信号線との間に接続されるフォトリレーと、
を有してなり、
前記フォトリレーは、接点、
を備え、
前記ファントム電源のスイッチがオン状態のときに、前記接点は開き、
前記スイッチがオフ状態のときに、前記接点は閉じる、
ことを特徴とするコンデンサマイクロホン回路。
【請求項２】
前記フォトリレーは、
前記スイッチがオン状態のときに発光する発光素子、
を備え、
前記接点は、前記発光素子が発光したときに、開く、
請求項１記載のコンデンサマイクロホン回路。
【請求項３】
基準電位と接続する第３信号線、
を有してなり、
前記第１信号線と前記第２信号線との間には、第１定電流ダイオードと第２定電流ダイオードとが直列に接続され、
前記第１定電流ダイオードのカソードと前記第２定電流ダイオードのカソードとは、共通接続され、
前記発光素子は、前記第１定電流ダイオードと前記第２定電流ダイオードとの共通カソードと、前記第３信号線と、の間に接続され、
前記接点は、前記第１信号線と前記第２信号線との間に接続される、
請求項２記載のコンデンサマイクロホン回路。
【請求項４】
前記発光素子と前記第３信号線との間に接続される発光部、
を有してなる、
請求項３記載のコンデンサマイクロホン回路。
【請求項５】
前記発光部は、前記マイクロホンユニットが収音した音声を出力可能な状態であることを示すべく、外部に向けて発光するインジケータである、
請求項４記載のコンデンサマイクロホン回路。
【発明の詳細な説明】
【技術分野】
【０００１】
本発明は、コンデンサマイクロホン回路に関する。
【背景技術】
【０００２】
コンデンサマイクロホン（以下「マイクロホン」という。）は、マイクロホンが備えるインピーダンス変換器などを動作させるための電源の供給を必要とする。マイクロホンの電源供給には、ＪＥＩＴＡ  ＲＣ−８１６２Ａ（マイクロホンの電源供給方式）に規定されるファントム給電方式が用いられる。
【０００３】
ファントム給電方式は、ミキサーやアンプユニットなどの外部機器側に備えられた直流電源（ファントム電源）から、マイクロホンの音声信号の出力信号線であるホット側信号線とコールド側信号線とを介して、マイクロホンに直流電流を供給する。ファントム電源は、給電抵抗を介してホット側信号線とコールド側信号線とのそれぞれに接続される。そのため、ファントム電源は、ホット側信号線とコールド側信号線とに等しく分配された直流電流を供給することができる。
【０００４】
マイクロホンと外部機器との接続や切断は、通常、マイクロホンに給電するファントム電源がオフ状態の時に行われる。しかし、マイクロホンと外部機器との接続や切断は、マイクロホンとマイクロホンの使用者などの身体との接触や、ファントム電源のオン・オフ状態の確認不足などにより、ファントム電源がオン状態の時に行われる場合がある。この場合、マイクロホンとファントム電源とを接続する端子間の接続または切断のタイミングが、ホット側端子とコールド側端子との間で異なると、ファントム電源から衝撃音を伴うパルス状の電流（以下「パルス状電流」という。）が出力される。
【０００５】
このパルス状電流は、マイクロホンの音声信号の出力信号線に流れて、音声信号と共に外部機器を介してスピーカなどの出力機器に入力される。この場合、出力機器からは大きな音、いわゆるボツ音が発生する。出力機器は、このボツ音の大きさによっては故障する。
【０００６】
このようなマイクロホンとファントム電源との接続時や切断時のボツ音の発生を低減する手法として、パルス状の電流を検出する検出回路と、マイクロホンの出力を制限する制限回路と、を備えたファントム電源回路が提案されている（例えば、特許文献１）。
【０００７】
検出回路は、トランスとコンデンサと抵抗と第１トランジスタ回路とを有してなる。トランスは、マイクロホンのホット側信号線とコールド側信号線との間に接続され、マイクロホンとファントム電源とのホット側端子、またはコールド側端子のいずれか一方が先に切断または接続されると、パルス状電流を流す。検出回路は、トランスにパルス状電流が流れると、第１トランジスタ回路を電流の流れるオン状態にする。
【０００８】
制限回路は、第２トランジスタ回路と発光ダイオードとフォトＭＯＳリレーと抵抗とを有してなる。制限回路は、検出回路の第１トランジスタ回路がオン状態になると、発光ダイオードを消灯させてホット側信号線とコールド側信号線とに設けられたフォトＭＯＳリレーの接点を解放させる。フォトＭＯＳリレーの接点が解放されると、マイクロホンからの音声信号とパルス状電流とは、ホット側信号線とコールド側信号線とにそれぞれバイパス接続された抵抗により減衰される。つまり、音声信号とパルス状電流との出力機器側への入力は、制限される。その結果、ボツ音の出力機器からの発生は、抑制される。
【先行技術文献】
【特許文献】
【０００９】
【特許文献１】特許第５５４５８５９号明細書
【発明の概要】
【発明が解決しようとする課題】
【００１０】
しかし、特許文献１に開示されたファントム電源回路は、パルス状電流を検出する検出回路や音声信号を減衰させる制限回路を必要とする。そのため、回路構成は複雑となる。また、音声信号は、バイパス接続された抵抗を通ることで減衰されるが、遮断されない。
【００１１】
本発明は、以上のような従来技術の問題点を解決するためになされたもので、簡易な回路構成で、ボツ音を発生させないことを目的とする。
【課題を解決するための手段】
【００１２】
ファントム電源に接続されるコンデンサマイクロホン回路であって、マイクロホンユニットからの音声信号が流れる第１信号線および第２信号線と、第１信号線と第２信号線との間に接続されるフォトリレーと、を有してなり、フォトリレーは、接点、を備え、接点は、ファントム電源のスイッチがオフ状態のときに、閉じる、ことを特徴とする。
【発明の効果】
【００１３】
本発明によれば、簡易な回路構成で、ボツ音の発生を無くすことができる。
【図面の簡単な説明】
【００１４】
【図１】本発明にかかるコンデンサマイクロホン回路の実施の形態を示す回路図である。
【発明を実施するための形態】
【００１５】
●コンデンサマイクロホン回路●
以下、図面を参照しながら、本発明にかかるコンデンサマイクロホン回路の実施の形態について説明する。
【００１６】
図１は、本発明にかかるコンデンサマイクロホン回路の実施の形態を示す回路図である。同図は、コンデンサマイクロホン回路（以下「マイクロホン回路」という。）と、マイクロホン回路に電源を供給するファントム電源回路と、が接続された状態を示している。
【００１７】
●ファントム電源回路
先ず、本発明にかかるマイクロホン回路が接続されるファントム電源回路について説明する。
【００１８】
ファントム電源回路ＦＣは、マイクロホン回路ＭＣに電源を供給する。ファントム電源回路ＦＣは、端子Ｔと信号線Ｌとファントム電源ＰＷとスイッチＳＷと第１供給抵抗Ｒ１と第２供給抵抗Ｒ２とを有してなる。
【００１９】
端子Ｔには、マイクロホン回路ＭＣと出力機器のそれぞれが接続される。端子Ｔは、入力端子である第１端子Ｔ１と第２端子Ｔ２と第３端子Ｔ３と、出力端子である第４端子Ｔ４と第５端子Ｔ５と第６端子Ｔ６と、を備える。入力端子には、マイクロホン回路ＭＣが接続される。出力端子には、出力機器が接続される。
【００２０】
信号線Ｌは、入力端子と出力端子とを接続する。信号線Ｌは、ホット側信号線Ｌｈとコールド側信号線Ｌｃと基準電位線Ｌｇとを備える。ホット側信号線Ｌｈは、第１端子Ｔ１と第４端子Ｔ４とを接続する。コールド側端子Ｌｃは、第２端子Ｔ２と第５端子Ｔ５とを接続する。基準電位線Ｌｇは、第３端子Ｔ３と第６端子Ｔ６とを接続する。ホット側信号線Ｌｈとコールド側信号線Ｌｃとには、マイクロホン回路ＭＣからの音声信号が流れる。
【００２１】
ファントム電源ＰＷは、マイクロホン回路ＭＣに電源を供給する直流電源である。スイッチＳＷは、ファントム電源ＰＷのオン状態とオフ状態とを切り換える。ファントム電源ＰＷとスイッチＳＷとは、基準電位線Ｌｇと、ホット側信号線Ｌｈとコールド側信号線Ｌｃのそれぞれと、の間に直列に接続される。
【００２２】
第１供給抵抗Ｒ１は、スイッチＳＷとホット側信号線Ｌｈとの間に直列に接続される。第２供給抵抗Ｒ２は、スイッチＳＷとコールド側信号線Ｌｃとの間に直列に接続される。第１供給抵抗Ｒ１と第２供給抵抗Ｒ２とは、同じ抵抗値を有する供給抵抗を構成する。ファントム電源ＰＷからの供給電流は、供給抵抗を介して、ホット側信号線Ｌｈとコールド側信号線Ｌｃとに等しく分割される。
【００２３】
●マイクロホン回路●
次に、本発明にかかるマイクロホン回路ＭＣについて説明する。
【００２４】
●マイクロホン回路の構成
マイクロホン回路ＭＣは、音声を電気信号に変換して、音声信号を出力する。マイクロホン回路ＭＣは、コンデンサマイクロホンユニット（以下「マイクロホンユニット」という。）１と増幅回路２と出力端子３と信号線４と定電流ダイオード５と発光素子６とリレー接点７とを有してなる。
【００２５】
なお、本実施の形態におけるマイクロホン回路ＭＣは、マイクロホンユニット１を有している。しかし、本発明にかかるマイクロホン回路は、マイクロホンユニットを有していなくともよい。
【００２６】
マイクロホンユニット１は、音声を音声信号に変換する。マイクロホンユニット１は、対向して配置された振動板１１と固定極１２とを有してなる。振動板１１は、後述する出力端子３の第３出力端子３３に接続される。固定極１２は、増幅回路２に接続される。
【００２７】
増幅回路２は、マイクロホンユニット１からの音声信号を増幅させる増幅部と、マイクロホンユニット１からの音声信号のインピーダンス変換を行うインピーダンス変換部と、を備える。増幅回路２は、マイクロホンユニット１と出力端子３との間に接続される。
【００２８】
出力端子３は、ファントム電源回路ＦＣの入力端子に接続される。出力端子３は、第１出力端子３１と第２出力端子３２と第３出力端子３３とを備える。第１出力端子３１は、ファントム電源回路ＦＣの端子Ｔ１と接続するホット側端子である。第２出力端子３２は、ファントム電源回路ＦＣの端子Ｔ２と接続するコールド側端子である。第３出力端子３３は、ファントム電源回路ＦＣの端子Ｔ３と接続する接地端子である。
【００２９】
信号線４は、マイクロホンユニット１と増幅回路２のそれぞれと、出力端子３と、を接続する。信号線４は、第１信号線４１と第２信号線４２と第３信号線４３とを備える。第１信号線４１は、増幅回路２と第１出力端子３１とを接続するホット側信号線である。第２信号線４２は、増幅回路２と第２出力端子３２とを接続するコールド側信号線である。第３信号線４３は、振動板１１と第３出力端子３３とを接続する。第３信号線４３は、基準電位と接続する基準電位線である。第１信号線４１と第２信号線４２とは、増幅回路２を介してマイクロホンユニット１からの音声信号が流れる出力信号線である。
【００３０】
定電流ダイオード５は、ファントム電源ＰＷから供給される電流を一定の電流値の定電流にする。定電流ダイオード５は、第１定電流ダイオード５１と第２定電流ダイオード５２とを備える。第１定電流ダイオード５１と第２定電流ダイオード５２とは、第１信号線４１と第２信号線４２との間に直列に接続される。
【００３１】
第１定電流ダイオード５１のアノードは、第１信号線４１に接続される。第２定電流ダイオード５２のアノードは、第２信号線４２に接続される。第１定電流ダイオード５１のカソードと、第２定電流ダイオード５２のカソードとは、共通接続されて定電流ダイオード５の共通カソードを構成する。
【００３２】
発光素子６は、定電流ダイオード５からの定電流により発光する。すなわち、発光素子６は、ファントム電源回路ＦＣのファントム電源ＰＷがオン状態のときに発光する。発光素子６は、例えば、発光ダイオードである。発光素子６は、第１発光素子６１と第２発光素子６２と第３発光素子６３とを備える。発光素子６は、定電流ダイオード５の共通カソードと、第３信号線４３と、の間に直列に接続される。
【００３３】
リレー接点７は、ノーマリーオン型のリレー接点である。リレー接点７は、第１信号線４１と第２信号線４２との間に接続される。具体的には、リレー接点７と第１信号線４１との接続点Ｐ１は、第１信号線４１のうち、第１定電流ダイオード５１と第１信号線４１との接続点Ｐ３と、増幅回路２と、の間に接続される。リレー接点７と第２信号線４２との接続点Ｐ２は、第２信号線４２のうち、第２定電流ダイオード５２と第２信号線４２との接続点Ｐ４と、増幅回路２と、の間に接続される。
【００３４】
第１発光素子６１とリレー接点７とは、第１発光素子６１の発光状態によりリレー接点７が開閉するフォトリレーＰＲを構成する。フォトリレーＰＲは、第１信号線４１と第２信号線４２との間に接続される。リレー接点７は、第１発光素子６１が発光すると開く。リレー接点７は、第１発光素子６１が発光を停止（消灯）すると閉じる。第１信号線４１と第２信号線４２とは、リレー接点７が閉じると短絡する。
【００３５】
第２発光素子５２と第３発光素子５３とは、発光部を構成する。発光部は、マイクロホン回路ＭＣを備えるマイクロホンの外部に向けて発光する。発光部は、例えば、マイクロホンが収音した音声を出力可能な状態であることを示すインジケータとして機能する。発光部は、第１発光素子５１と第３信号線４３との間に接続される。
【００３６】
●マイクロホン回路の動作
次に、ファントム電源回路ＦＣに接続されたマイクロホン回路ＭＣの動作について説明する。
【００３７】
まず、ファントム電源回路ＦＣのスイッチＳＷがオン状態のときのマイクロホン回路ＭＣの動作について説明する。
【００３８】
スイッチＳＷがオン状態のとき、ファントム電源ＰＷはオン状態である。すなわち、ファントム電源ＰＷからの電流（以下「供給電流」という。）は、供給抵抗とホット側信号線Ｌｈとコールド側信号線Ｌｃとを介してマイクロホン回路ＭＣに供給される。
【００３９】
マイクロホン回路ＭＣに供給された供給電流は、出力信号線を介して定電流ダイオード５と増幅回路２とに入力される。定電流ダイオード５に入力された供給電流は、定電流ダイオード５により定電流となる。定電流は、共通カソードから第１発光素子６１と第２発光素子６２と第３発光素子６３とに流れる。第１発光素子６１と第２発光素子６２と第３発光素子６３とは、定電流により発光する。
【００４０】
第１発光素子６１からの光は、リレー接点７に照射される。すなわち、スイッチＳＷがオン状態であり、リレー接点７は開いている。このとき、第１信号線４１を流れる音声信号は、第１出力端子３１を介してファントム電源回路ＦＣのホット側信号線Ｌｈに流れる。第２信号線４２を流れる音声信号は、第２出力端子３２を介してファントム電源回路ＦＣのコールド側信号線Ｌｃに流れる。ホット側信号線Ｌｈとコールド側信号線Ｌｃとに流れる音声信号は、出力機器に入力される。
【００４１】
第２発光素子６２と第３発光素子６３とは、前述したとおり、定電流により発光する。すなわち、発光部を発光させる電流は、フォトリレーＰＲを駆動させる電流と共通する。そのため、マイクロホン回路ＭＣは、発光部を発光させるための電源を、別途必要としない。
【００４２】
次に、スイッチＳＷがオン状態からオフ状態へと切り替わったときのマイクロホン回路ＭＣの動作について説明する。
【００４３】
スイッチＳＷがオン状態からオフ状態へと切り替わると、ファントム電源ＰＷはオン状態からオフ状態へと切り替わる。そのため、供給電流は、定電流ダイオード５には入力されない。したがって、第１発光素子６１と第２発光素子６２と第３発光素子６３とは、消灯する。第１発光素子６１が消灯すると、リレー接点７は閉じる。
【００４４】
リレー接点７が閉じると、第１信号線４１と第２信号線４２とは、接続点Ｐ１とリレー接点７と接続点Ｐ２とを介して短絡する。そのため、出力信号線を流れる音声信号は、この短絡により遮断される。すなわち、音声信号は、マイクロホン回路ＭＣで遮断される。つまり、音声信号は、ファントム電源回路ＦＣを介して出力機器に入力されない。
【００４５】
ここで、スイッチＳＷがオン状態からオフ状態へと切り替わると、スイッチＳＷは、極短時間、いわゆるチャタリングを引き起こす。この間、ファントム電源ＰＷには、パルス状電流が発生する。パルス状電流は、供給抵抗Ｒ１，Ｒ２を介してファントム電源回路ＦＣのホット側信号線Ｌｈとコールド側信号線Ｌｃとに流れる。このとき、音声信号は、前述したとおり、マイクロホン回路ＭＣで遮断されている。そのため、パルス状電流は、音声信号と共に（重畳して）出力機器に入力されない。すなわち、ボツ音は、発生しない。
【００４６】
●まとめ
以上説明した実施の形態によれば、スイッチＳＷをオフ状態にしたとき、出力信号線を流れる音声信号は、フォトリレーＰＲのリレー接点７が閉じることにより、マイクロホン回路ＭＣで遮断される。この音声信号の遮断は、マイクロホン回路ＭＣに定電流ダイオード５とフォトリレーＰＲを接続するという簡易な構成により実現される。すなわち、マイクロホン回路ＭＣは、簡易な回路構成により、マイクロホンへの給電を停止したときのボツ音を発生させない。
【００４７】
また、音声信号の遮断は、スイッチＳＷをオフ状態にしたときに、瞬時に行われる。すなわち、マイクロホン回路ＭＣは、ミュート機能を有する。
【００４８】
さらに、フォトリレーＰＲの発光素子である第１発光素子６１と、発光部の発光素子である第２発光素子６２と第３発光素子６３とは、直列に接続される。そのため、発光部を駆動（発光）させる電流と、フォトリレーＰＲを駆動させる電流とは、共通する。すなわち、マイクロホン回路ＭＣは、発光部を発光させるための電源を別途必要としない。つまり、マイクロホン回路ＭＣは、発光部を有しつつ、マイクロホン回路ＭＣ全体の消費電流を抑えることができる。
【００４９】
なお、リレー接点７には、出力信号線の電圧のバランスを調整するための抵抗を並列に接続してもよい。この抵抗は、例えば、何らかの原因で増幅回路２の出力にＤＣ電圧が発生、つまり、第１信号線４１と第２信号線４２との間にＤＣ電圧が発生した場合でも、第１信号線４１と第２信号線４２との間を短絡させて、出力端子３に過大電流が流れるのを防ぐ。
【符号の説明】
【００５０】
ＭＣ  マイクロホン回路
１    コンデンサマイクロホンユニット
２    増幅回路
３    出力端子
３１  第１出力端子
３２  第２出力端子
３３  第３出力端子
４    信号線
４１  第１信号線
４２  第２信号線
４３  第３信号線
５    定電流ダイオード
６    発光素子
６１  第１発光素子
６２  第２発光素子
６３  第３発光素子
７    リレー接点
ＰＲ  フォトリレー
ＦＣ  ファントム電源回路
ＰＷ  ファントム電源
ＳＷ  スイッチ
【図１】
0006635755.tif 000002